(57)【要約】【課題】ポケットに入れても衣類を傷めること等が無く、持ち運びが容易で使い易い灯具として使用することができ、非常時には外部から容易に視認可能な非常灯としても使用が出来る、ルーペ兼用灯具を提供する。【解決手段】矩形状の枠体１の上面側であって該枠体１の対向する長辺部１ｂの各辺に、矩形状で可撓性を有するフレネルレンズ部２の二辺の長辺部２ｂをそれぞれ着脱自在に係着し、フレネルレンズ部２は短辺部２ｃが湾曲した蒲鉾形状に保持され、フレネルレンズ部２と枠体１で形成される蒲鉾部４の一の端部に、蒲鉾部４内を内側から照明する照明手段５を設けたことを特徴とするルーペ兼用灯具である。【選択図】図１
2020194020.tif 000002
【特許請求の範囲】
【請求項１】
矩形状の枠体の上面側であって該枠体の対向する長辺部の各辺に、
矩形状で可撓性を有するフレネルレンズ部の二辺の長辺部をそれぞれ着脱自在に係着し、
フレネルレンズ部は短辺部が湾曲した蒲鉾形状に保持され、
フレネルレンズ部と枠体で形成される蒲鉾部の一の端部に、
蒲鉾部内を内側から照明する照明手段を設けたことを特徴とするルーペ兼用灯具。
【請求項２】
フレネルレンズ部と枠体で形成される蒲鉾部の他の端部に透明赤色板を着脱自在に形成し、該透明赤色板を着装した際には該端部が透明赤色板で略封じられるように形成したことを特徴とする請求項１記載のルーペ兼用灯具。
【請求項３】
枠体の下面にマグネット材を固着したことを特徴とする請求項１又は請求項２記載のルーペ兼用灯具。
【請求項４】
照明手段を着脱自在に形成したことを特徴とする請求項１乃至請求項３のいずれかに記載のルーペ兼用灯具。
【発明の詳細な説明】
【技術分野】
【０００１】
本発明は、必要により照明を付して、新聞等の文字を拡大し、また非常時等には非常灯として使用し、容易に携帯することが可能なルーペ兼用灯具に関する。
【背景技術】
【０００２】
従来、拡大したい部分のみを、光を漏らさずに照明することが出来る照明付きルーペが提案されている（特許文献１）。該照明付きルーペは、遮光フードとＬＥＤ光源及びレンズで構成され、遮光フード内部にはレンズとＬＥＤ光源が配置されている。
【０００３】
また、薄型で持ち運びに便利な折りたたみ照明付きルーペが提案されている（特許文献１）。該折りたたみ照明付きルーペは、薄型で照明装置の一部とレンズ部が連結され、該連結部分が可動に形成され、照明装置とレンズ部を重ねるように折りたたむことが出来る構造になっている。
【０００４】
しかしながら、特許文献１の照明付きルーペは、レンズの開口形状が矩形であり、そのため結果として該照明付きルーペは、特許文献１の図２等に示されるように箱型であって嵩張るため、特にポケットに入れて持ち運ぶにあたっては、箱型の角部が該ポケットを内側より強く押し広げて変形させて衣類を傷めたり、該角部が腕に当って痛いという課題がある。また、光は遮光フードによって外に漏れることが少ないため、非常時等に非常灯として使用することが出来ないという課題がある。
【０００５】
また、特許文献２の折りたたみ照明付きルーペは、折りたたみが出来るため携帯には便利であっても、ルーペとして使用するときは、半分ほど開いた状態に該折りたたみ照明付きルーペを手でしっかりと、ぐらつかないよう常時保持する必要があり、使い勝手が十分でない場合があるという課題がある。
【先行技術文献】
【特許文献】
【０００６】
【特許文献１】特開２０１８−３１８３８号公報
【特許文献２】特開２００３−１８７６０１号公報
【発明の概要】
【発明が解決しようとする課題】
【０００７】
本発明が解決しようとする課題は、ルーペとして使用する際に手で常時保持する必要が無く、箱型でないためポケットに入れても衣類を傷めず、角部が飛び出して腕等に該角部が当たることが無く、結果として持ち運びが容易で使い易い灯具として使用することができ、また非常時には外部から容易に視認可能な非常灯としても使用が出来る、ルーペ兼用灯具を提供することにある。
【課題を解決するための手段】
【０００８】
上記課題を解決するため、請求項１記載の発明は、矩形状の枠体の上面側であって該枠体の対向する長辺部の各辺に、
矩形状で可撓性を有するフレネルレンズ部の二辺の長辺部をそれぞれ着脱自在に係着し、
フレネルレンズ部は短辺部が湾曲した蒲鉾形状に保持され、
フレネルレンズ部と枠体で形成される蒲鉾部の一の端部に、
蒲鉾部内を内側から照明する照明手段を設けたことを特徴とするルーペ兼用灯具を提供する。
【０００９】
また、請求項２記載の発明は、フレネルレンズ部と枠体で形成される蒲鉾部の他の端部に透明赤色板を着脱自在に形成し、該透明赤色板を着装した際には該端部が透明赤色板で略封じられるように形成したことを特徴とする請求項１記載のルーペ兼用灯具を提供する。
【００１０】
また、請求項３記載の発明は、枠体の下面にマグネット材を固着したことを特徴とする請求項１又は請求項２記載のルーペ兼用灯具を提供する。
【００１１】
また、請求項４記載の発明は、照明手段を着脱自在に形成したことを特徴とする請求項１乃至請求項３のいずれかに記載のルーペ兼用灯具を提供する。
【発明の効果】
【００１２】
本発明のルーペ兼用灯具において、矩形状のフレネルレンズ部は可撓性を有しているため、矩形状の枠体の２つの長辺部各辺に矩形状のフレネルレンズ部の各長辺部が係着され、結果としてフレネルレンズ部は短辺部方向が湾曲した蒲鉾形状に保持される。このため本発明のルーペ兼用灯具は、全体として丸みを帯びた優しい蒲鉾形状となる効果がある。これにより本発明のルーペ兼用灯具は、コンパクトで持ち運び易いという効果があり、ズボンのポケットにフレネルレンズ部を外側にして収納すれば、ポケットを内側から局所的に押し広げるような角状の部分が無く、衣類を傷めず、腕等に当たるような突起部分が生じないため安全であるという効果がある。
【００１３】
また、本発明のルーペ兼用灯具はフレネルレンズ部が湾曲した状態と成っているため、該フレネルレンズ部で形成される蒲鉾部内を内側から照明する照明手段による光は、フレネルレンズ部を透過して外部にも照射され、該照射方向は一方向ではなく１８０度内のどの方向にも照射される効果がある。このため、本発明のルーペ兼用灯具は、１８０度内のどの方向へも光が照射される灯具又は１８０度内のどの方向からも視認出来る非常灯として使用することが出来る効果がある。もちろん、蒲鉾部の一の端部に設けた照明手段から発射される光は、蒲鉾部の他の端部から外部へ照射され、この部分から照射される光は、灯具として例えば足元等を局所的に照らすことが出来る効果がある。
【００１４】
また、本発明のルーペ兼用灯具の照明手段が設けられている側の蒲鉾部の端部にストラップを係着させれば、該ストラップを首にかけて本発明のルーペ兼用灯具をフレネルレンズ部を外側に保持することが出来、その際に箱型の灯具をぶら下げる場合と比べて角部が少ない分、身体に角部が当たることが少なく、安全に該ストラップにより本発明のルーペ兼用灯具を保持することが出来る効果がある。
【００１５】
また、上記のように照明手段による光は、蒲鉾部の他の端部から外部へ照射されて結果として足元を照らし、フレネルレンズ部を透過して１８０度内のどの方向にも照射される光は、歩行者の前方のすべての方向に照射されることになって、灯具として回り全体を照らすことが出来ると共に、他者より視認される可能性が高いという効果がある。よって夜間のウォーキング等の使用に特に適しているという効果がある。
【００１６】
また、本発明のルーペ兼用灯具を単に持ち運ぶ際は、フレネルレンズ部を枠体より取り外すことで、フレネルレンズ部は平板状に、枠体は同様に矩形の平板状になるため、それぞれを重ねて収納すれば組み立てられたときと較べて更にコンパクトになり、容易に収納して持ち運ぶことが出来る効果があり、再度、使用するに当たっては、フレネルレンズ部の長辺部を枠体の長辺部に係着するだけの簡単な組み立て操作で行うことが出来るという効果がある。特に請求項４に記載の発明のように、照明手段を着脱自在に形成して該照明手段を更に取り外せば、枠体は出っ張りの無い平板形状とすることもでき、収納と持ち運びを更に容易に行うことが出来るという効果がある。
【００１７】
また、フレネルレンズ部は蒲鉾形状に保持されているため、その枠体より最も離れている天頂部では、枠体が接して置かれている新聞等の文字をより拡大することができ、小さな文字を拡大してより読む易く出来る効果がある。
【００１８】
また、フレネルレンズ部と枠体で形成される蒲鉾部の一の端部には、蒲鉾部内を内側から照明する照明手段が設けられているため、例えば回りが暗い夜間の自動車の車内等であっても、容易に細かな記載に係る地図等を該照明手段により照らしながら拡大して見ることが出来る効果がある。
【００１９】
また、請求項２に記載のルーペ兼用灯具は、フレネルレンズ部と枠体で形成される蒲鉾部の他の端部が透明赤色板で略封じられるように成っているため、蒲鉾部の片方の端部に設けられた光は該透明赤色板によって赤色に着色されて外部に照射させる効果がある。これにより、自動車が故障等により道路上に停車している際に、ドア等に本ルーペ兼用灯具を透明赤色板が後部方向に成るように装着すれば、後続車は赤色灯を視認することになり自動車等が停車していることを知らせることが確実に且つ容易に出来、自動車等の非常の停車を後続車にいち早く知らせる非常灯として使用できる効果がある。
【００２０】
また、請求項３に記載のルーペ兼用灯具は、枠体の下面にマグネット材が固着されているため、上記自動車のドア等の軟磁性体に該マグネット材にて容易に磁着させることが出来るという効果がある。また自動車だけでなく、例えば鉄板等の軟磁性体で構成されている家具（冷蔵庫、スチール机等）にも、容易に該マグネット材にて本ルーペ兼用灯具を磁着させることができ、停電時等に直ちに使用できる家庭用等の非常灯や灯具として、常時設置しておくことができる効果がある。
【図面の簡単な説明】
【００２１】
【図１】本発明に係るルーペ兼用灯具の全体斜視図である。
【図２】本発明に係るルーペ兼用灯具であってフレネルレンズ部を枠板より外した状態の分解斜視図である。
【図３】本発明に係るルーペ兼用灯具の蒲鉾部の端部に透明赤色板を着装した状態を示す状態斜視図である。
【図４】本発明に係るルーペ兼用灯具の蒲鉾部の端部から透明赤色板を有する端部ユニットを取り外した状態を示す状態斜視図である。
【図５】本発明に係るルーペ兼用灯具の端部ユニットを含んだ分解斜視図（フレネルレンズ部は平板状の状態から湾曲させて枠体に係着させる状態を示す）である。
【図６】本発明に係るルーペ兼用灯具を下面側から見た状態を示す状態斜視図である。
【発明を実施するための形態】
【００２２】
次に本発明に係るルーペ兼用灯具を実施するための形態に関し、図１乃至図６に基づき詳細に説明する。
【実施例】
【００２３】
図１は、本発明に係るルーペ兼用灯具の全体斜視図であり、１は矩形状の枠体である。該枠体１は中央部に四角形状の貫通孔１ａが形成されている。枠体１の上面側には、矩形状で可撓性を有するフレネルレンズ部２が短辺部２ｃ方向に湾曲して全体として蒲鉾形状に保持されている。該フレネルレンズ部２は、図２に示すように、長辺部２ｂが枠体１の長辺部１ｂと略同一長であり、短辺部２ｃが枠体１の短辺部１ｃよりも長く成っていて、その可撓性を利用してフレネルレンズ部２を短辺部２ｃ方向に湾曲させた状態で、枠体１の長辺部１ｂにフレネルレンズ部２の長辺部２ｂを係着させることで、枠体１とフレネルレンズ部２の全体として蒲鉾形状に形成している。
【００２４】
枠体１の各長辺部１ｂには、フレネルレンズ部２の長辺部２ｂを保持するための、略透明で長板状の係着片３が固着されていて、該係着片３は短辺部３ｃ側から見てへの字型に折曲されている。該短辺部３ｃ側の一の端部が枠体１の長辺部１ｂの側面部（枠体１の厚み部分）に固着され、他の端部が枠体１の上面部側に覆いかぶさるように形成している。該枠体１に覆いかぶさっている部分にフレネルレンズ部２の長辺部２ｂを係着させ、該フレネルレンズ部２が図２のように平板状に戻ろうとする力によって、係着片３にフレネルレンズ部２の長辺部２ｂが圧接し、結果として、枠体１の二辺の長辺部１ｂにフレネルレンズ部２の二辺の長辺部２ｂが係着している。
【００２５】
上記のようにフレネルレンズ部２は、その平板状の形状に戻ろうとする力によって係着片３を介して枠体１に係着しているため、該フレネルレンズ部２を手等により、その湾曲の程度を強くする方向にさらに湾曲してやれば、フレネルレンズ部２の長辺部２ｂと係着片３との係着が開放されるか緩やかになって、フレネルレンズ部２を係着片３より取り外すことができ、このような構成によりフレネルレンズ部２は枠体１に着脱自在と成っている。
【００２６】
枠体１の一の短辺部１ｃの上面側（湾曲したフレネルレンズ部２の下方）には、フレネルレンズ部２と枠体１とで形成された蒲鉾部４内を照明する照明手段５が設けられ、該照明手段５にはＬＥＤ５ａと電池（図示せず）が内蔵され、スイッチ５ｂのスライドによりＬＥＤ５ａが点灯するように成っている。よって、本発明のルーペ兼用灯具１０を小さな字で記載された新聞等の上に置いて、フレネルレンズ部２の天頂部２ｄの上方から覗けば、該小さな字はフレネルレンズ部２で拡大され大きな字となって読みやすく成る。この際、照明手段５のＬＥＤ５ａを点灯させれば、暗い部屋であっても小さな字を明るく照らすことができ、より読みやすく成る。なお照明手段５は、フレネルレンズ部２と枠体１で形成される蒲鉾部４の一の端部に設けられていれば良く、例えば枠体１の厚みを十分に厚くして、その厚みの中（枠体１内）に照明手段５を貫通孔１ａ内を照明できるように内蔵しても良い。
【００２７】
照明手段５より発せられる光は、フレネルレンズ部２を通して図１において上側の１８０度内のどの方向にも照射されると共に、枠体１の他の端部（照明手段５が設けられていない端部）からも外側にも照射される。図３は該端部に透明赤色板６ａを有する端部ユニット６を着装した状態を示しているが、該端部ユニット６は本実施例では全体が透明赤色のアクリル板で形成され、特に透明赤色板６ａは蒲鉾部４の断面形状と略同一の形状となっていて、これにより、蒲鉾部４の端部は該透明赤色板６ａで密封され、照明手段５から照射されて枠体１の端部より外側に照射される光は、赤色に着色されることになる。
【００２８】
端部ユニット６は図４で示されるように蒲鉾部４の端部（照明手段５が設けられていない端部）をその外周全体に被せるような形状に形成されていて、該端部に容易に着脱自在に成っている。
【００２９】
また、枠体１の下面側の長辺部には図６に示すように円板状のマグネット材７が設けられ、該マグネット材７が鉄等の軟質磁性体に磁着することで、本発明のルーペ兼用灯具１０の下面側が鉄等の軟質磁性体側に密接するように形成されている。よって、自動車のドア等の鉄板にマグネット材７を介して本発明のルーペ兼用灯具１０の下面側を密接状態で保持させることができ、夜間に照明手段５のＬＥＤ５ａを点灯させて、透明赤色板６ａ側を後方に向ければ、停車していることを後続車に安全に（運転手等が乗車したまま）且つ迅速に知らせることが出来る。
【符号の説明】
【００３０】
１  枠体
１ａ  貫通孔
１ｂ  長辺部
１ｃ  短辺部
２  フレネルレンズ部
２ｂ  長辺部
２ｃ  短辺部
２ｄ  天頂部
３  係着片
３ｃ  短辺部
４  蒲鉾部
５  照明手段
５ａ  ＬＥＤ
５ｂ  スイッチ
６  端部ユニット
６ａ  透明赤色板
７  マグネット材
１０  ルーペ兼用灯具
【図１】
2020194020.tif 000003
【図２】
2020194020.tif 000004
【図３】
2020194020.tif 000005
【図４】
2020194020.tif 000006
【図５】
2020194020.tif 000007
【図６】
2020194020.tif 000008